(57)【要約】本発明は、スマートフォンのケアアプリケーションを通じて伴侶動物に給食及び給水を供給すると同時に、伴侶動物の状態をモニタリングした情報に基づいて伴侶動物を安定的にケアすることができる伴侶動物スマートケアシステムに関する。このために、本発明は、伴侶動物に飼料及び水を提供すると同時に、前記伴侶動物と関連した状態情報を外部機器に送信する伴侶動物ケア装置と、ユーザーから入力された入力情報に基づいて前記伴侶動物ケア装置を制御するためのスマートフォンと、前記状態情報及び予め設定された設定情報に基づいて前記スマートフォンに前記伴侶動物をケアするためのケア情報を送信する管理サーバーとを含む伴侶動物スマートケアシステムを提供する。【選択図】図２
2021533733.tif 000002
【特許請求の範囲】
【請求項１】
建物の内部に配置され、伴侶動物に飼料及び水を提供すると同時に、前記伴侶動物と関連した状態情報を無線通信を介して外部機器に送信する伴侶動物ケア装置；
前記伴侶動物ケア装置と無線で通信しながら前記状態情報に基づいて前記伴侶動物の状態をユーザーが確認できるように表示すると同時に、ユーザーから入力された入力情報に基づいて前記伴侶動物ケア装置を制御するためのスマートフォン；及び
前記伴侶動物ケア装置及び前記スマートフォンと無線で連結され、前記伴侶動物ケア装置から受信された前記状態情報及び予め設定された設定情報に基づいて前記スマートフォンに前記伴侶動物をケアするためのケア情報を送信する管理サーバー；を含む伴侶動物スマートケアシステム。
【請求項２】
前記スマートフォンは、前記伴侶動物ケア装置を制御するためのケアアプリケーションが内蔵されたマイクロプロセッサを含み、
前記ケアアプリケーションは、前記伴侶動物の映像を確認するためのモニタリングメニューと、前記伴侶動物の給食及び給水に対する量及び時期を予約するための給食／給水設定メニューと、前記ケアアプリケーションの設定のための一般アプリケーション設定メニューと、前記ケア情報又は前記状態情報を表示するためのお知らせ受信箱メニューと、を含むことを特徴とする、請求項１に記載の伴侶動物スマートケアシステム。
【請求項３】
前記モニタリングメニューは、前記伴侶動物の映像を確認しながら前記伴侶動物と通話するための映像通話メニューと、前記伴侶動物の映像を確認しながら前記伴侶動物に給食又は給水を提供できる信号を入力するための任意の給食／給水メニューと、を含むことを特徴とする、請求項２に記載の伴侶動物スマートケアシステム。
【請求項４】
前記ケア情報は、前記状態情報に基づいて前記伴侶動物の安全な程度を数値化する安全指数を含むことを特徴とする、請求項１に記載の伴侶動物スマートケアシステム。
【請求項５】
前記ケアアプリケーションは、前記状態情報に基づいて前記伴侶動物の一日の日課内容を写真及び動画のうち少なくともいずれか一つの形態で保存して記録する飼育日記メニューと、前記伴侶動物に対する給食及び給水に対して一定期間の間の統計資料を表示するための給食／給水統計メニューと、をさらに含むことを特徴とする、請求項２に記載の伴侶動物スマートケアシステム。
【請求項６】
前記伴侶動物ケア装置は、
前記伴侶動物と関連した映像を含む映像情報を獲得するためのＩＰカメラ；
前記伴侶動物の音を含む音情報を獲得するためのマイク；
前記スマートフォンから受信されたユーザーの音声を表示するためのスピーカー；及び
前記ＩＰカメラ、前記マイク及び前記スピーカーが設置される本体；を含むことを特徴とする、請求項１に記載の伴侶動物スマートケアシステム。
【請求項７】
前記本体は、
前記伴侶動物の飼料が収容される給食空間部、及び前記給食空間部と区画され、水が収容される給水空間部を形成する空間形成部を有する本体ケース；
前記本体ケースと一体に形成され、前記給水空間部から排出される水が充填される給水筒；
前記本体ケースと一体に形成され、前記給食空間部から排出された飼料が充填される給食筒；
前記空間形成部の下部に配置され、前記給水空間部に収容された水を前記給水筒に供給するための給水供給ユニット；及び
前記空間形成部の下部に配置され、前記給食空間部に収容された飼料を前記給食筒に供給するための給食供給ユニット；をさらに含むことを特徴とする、請求項６に記載の伴侶動物スマートケアシステム。
【請求項８】
前記給食供給ユニットは、
前記給食空間部と前記給食筒との間で下向きに傾斜するように配置される給食案内部；
前記給食案内部に流入した飼料を前記給食筒に移動させるための給食移動部材；及び
前記給食移動部材を回転させるための回転駆動部；を含むことを特徴とする、請求項７に記載の伴侶動物スマートケアシステム。
【請求項９】
前記給食案内部の一側には、前記給食空間部から飼料を流入させるための流入口が形成され、前記給食案内部の他側には、前記流入口に流入した飼料を前記給食筒に排出するための排出口が形成されており、
前記給食移動部材は、前記回転駆動部と結合される回転軸と、前記回転軸と結合されて回転しながら前記流入口に流入した飼料を移動させる複数の回転翼と、を含むことを特徴とする、請求項８に記載の伴侶動物スマートケアシステム。
【請求項１０】
前記給食供給ユニットは、
前記複数の回転翼を保護するために前記複数の回転翼の枠を覆うように形成される弾性部材をさらに含むことを特徴とする、請求項９に記載の伴侶動物スマートケアシステム。
【請求項１１】
前記伴侶動物ケア装置は、
前記給水筒に配置され、前記給水筒に充填された水の水位を感知する第１センサー部；及び
前記給食筒に配置され、前記給食筒に充填された飼料の高さを感知する第２センサー部；をさらに含むことを特徴とする、請求項７に記載の伴侶動物スマートケアシステム。
【請求項１２】
前記本体は、前記本体ケースの上部に配置される蓋をさらに含み、
前記蓋は、前記給食空間部を開閉するための給食空間部蓋と、前記給水空間部を開閉するための給水空間部蓋と、前記給食空間部蓋と前記給水空間部蓋とをヒンジ結合させるためのヒンジ結合部と、前記給水空間部蓋の開放を制限するストッパー部材と、を含むことを特徴とする、請求項７に記載の伴侶動物スマートケアシステム。
【請求項１３】
前記ヒンジ結合部は、前記給食空間部蓋の一側に形成される第１ヒンジ結合部と、前記給水空間部蓋の一側に形成され、前記第１ヒンジ結合部とヒンジ結合される第２ヒンジ結合部と、を含み、
前記ストッパー部材は、前記給食空間部蓋を貫通しながら回転可能に設置されるストッパー本体と、前記ストッパー本体の下部領域から前記ストッパー本体の外側半径方向に向かって突出形成されるストッパー突起と、を含むことを特徴とする、請求項１２に記載の伴侶動物スマートケアシステム。
【請求項１４】
前記ストッパー本体の回転によって前記ストッパー突起が前記第２ヒンジ結合部の下部に配置される場合、前記ストッパー突起と前記第２ヒンジ結合部との物理的接触による干渉によって前記給水空間部蓋が開放されないことを特徴とする、請求項１３に記載の伴侶動物スマートケアシステム。
【請求項１５】
前記本体は、前記本体ケースの下端部と結合されるベースプレートと、前記ベースプレートで上部方向に離隔して配置される設置プレートと、前記ベースプレートと前記設置プレートとを連結する支持レッグと、をさらに含み、
前記設置プレート上には、前記給食供給ユニット及び前記給水供給ユニットが配置され、前記給食供給ユニットは、前記ベースプレートを基準にして前記給食筒より上部に配置され、前記給水供給ユニットは、前記ベースプレートを基準にして前記給水筒より上部に配置されることを特徴とする、請求項７に記載の伴侶動物スマートケアシステム。
【発明の詳細な説明】
【技術分野】
【０００１】
本発明は、伴侶動物スマートケアシステムに関し、より具体的には、伴侶動物の状態をモニタリングし、伴侶動物をケアすることができる伴侶動物スマートケアシステムに関する。
【背景技術】
【０００２】
近年、独身生活をする人々が益々多くなっており、一般に、独身生活の時間が長くなるほど人々の孤独感はさらに強くなる。
【０００３】
これを解決するための一つの方案として、人々は、伴侶動物を飼う方式を通じて孤独感を解消している。
【０００４】
しかし、伴侶動物を飼うほとんどの人々は会社勤めをしており、伴侶動物と一緒に過ごす時間が非常に少ない。
【０００５】
したがって、一匹の伴侶動物のみが家にいる時間が多くなることによって、伴侶動物が自閉症或いは鬱病などの病気にかかるという問題が表れる。
【０００６】
さらに、これによって生じる各問題は、伴侶動物及び伴侶動物の飼い主の両方にストレスとして作用する。
【０００７】
特に、保険が適用されない動物病院を利用する場合、伴侶動物を飼う人の経済的な損失が増加するようになる。
【０００８】
これを解決するための従来技術としては、韓国公開特許第１０−２０１４−０１４６８０６号公報などがある。前記従来技術に係る伴侶動物管理装置は、単に飼い主の音声などの既に入力或いは設定された単純な情報のみを伴侶動物に伝達する程度に限定される。
【０００９】
したがって、従来技術では、リアルタイムに伴侶動物の状態を把握し、伴侶動物を安全にケアするのに限界がある。
【先行技術文献】
【特許文献】
【００１０】
【特許文献１】韓国公開特許第１０−２０１４−０１４６８０６号公報
【発明の概要】
【発明が解決しようとする課題】
【００１１】
本発明の技術的課題は、スマートフォンのケアアプリケーションを通じて伴侶動物に給食及び給水を供給すると同時に、伴侶動物の状態をモニタリングした情報に基づいて伴侶動物を安定的にケアすることができる伴侶動物スマートケアシステムを提供することにある。
【課題を解決するための手段】
【００１２】
前記技術的課題を達成するために、本発明は、建物の内部に配置され、伴侶動物に飼料及び水を提供すると同時に、前記伴侶動物と関連した状態情報を無線通信を介して外部機器に送信する伴侶動物ケア装置と、前記伴侶動物ケア装置と無線で通信しながら前記状態情報に基づいて前記伴侶動物の状態をユーザーが確認できるように表示すると同時に、ユーザーから入力された入力情報に基づいて前記伴侶動物ケア装置を制御するためのスマートフォンと、前記伴侶動物ケア装置及び前記スマートフォンと無線で連結され、前記伴侶動物ケア装置から受信された前記状態情報及び予め設定された設定情報に基づいて前記スマートフォンに前記伴侶動物をケアするためのケア情報を送信する管理サーバーとを含む伴侶動物スマートケアシステムを提供する。
【００１３】
前記スマートフォンは、前記伴侶動物ケア装置を制御するためのケアアプリケーションが内蔵されたマイクロプロセッサを含んでもよい。
【００１４】
前記ケアアプリケーションは、前記伴侶動物の映像を確認するためのモニタリングメニューと、前記伴侶動物の給食及び給水に対する量及び時期を予約するための給食／給水設定メニューと、前記ケアアプリケーションの設定のための一般アプリケーション設定メニューと、前記ケア情報又は前記状態情報を表示するためのお知らせ受信箱メニューとを含んでもよい。
【００１５】
前記モニタリングメニューは、前記伴侶動物の映像を確認しながら前記伴侶動物と通話するための映像通話メニューと、前記伴侶動物の映像を確認しながら前記伴侶動物に給食又は給水を提供できる信号を入力するための任意の給食／給水メニューとを含んでもよい。
【００１６】
前記ケア情報は、前記状態情報に基づいて前記伴侶動物の安全な程度を数値化する安全指数を含んでもよい。
【００１７】
前記ケアアプリケーションは、前記状態情報に基づいて前記伴侶動物の一日の日課内容を写真及び動画のうち少なくともいずれか一つの形態で保存して記録する飼育日記メニューと、前記伴侶動物に対する給食及び給水に対して一定期間の間の統計資料を表示するための給食／給水統計メニューとをさらに含んでもよい。
【００１８】
また、前記伴侶動物ケア装置は、前記伴侶動物と関連した映像を含む映像情報を獲得するためのＩＰカメラと、前記伴侶動物の音を含む音情報を獲得するためのマイクと、前記スマートフォンから受信されたユーザーの音声を表示するためのスピーカーと、前記ＩＰカメラ、前記マイク及び前記スピーカーが設置される本体とを含んでもよい。
【００１９】
前記本体は、前記伴侶動物の飼料が収容される給食空間部、及び前記給食空間部と区画され、水が収容される給水空間部を形成する空間形成部を有する本体ケースと、前記本体ケースと一体に形成され、前記給水空間部から排出される水が充填される給水筒と、前記本体ケースと一体に形成され、前記給食空間部から排出された飼料が充填される給食筒と、前記空間形成部の下部に配置され、前記給水空間部に収容された水を前記給水筒に供給するための給水供給ユニットと、前記空間形成部の下部に配置され、前記給食空間部に収容された飼料を前記給食筒に供給するための給食供給ユニットとをさらに含んでもよい。
【００２０】
前記給食供給ユニットは、前記給食空間部と前記給食筒との間で下向きに傾斜するように配置される給食案内部と、前記給食案内部に流入した飼料を前記給食筒に移動させるための給食移動部材と、前記給食移動部材を回転させるための回転駆動部とを含んでもよい。
【００２１】
前記給食案内部の一側には、前記給食空間部から飼料を流入させるための流入口が形成され、前記給食案内部の他側には、前記流入口に流入した飼料を前記給食筒に排出するための排出口が形成されてもよい。
【００２２】
前記給食移動部材は、前記回転駆動部と結合される回転軸と、前記回転軸と結合されて回転しながら前記流入口に流入した飼料を移動させる複数の回転翼とを含んでもよい。
【００２３】
前記給食供給ユニットは、前記複数の回転翼を保護するために前記複数の回転翼の枠を覆うように形成される弾性部材をさらに含んでもよい。
【００２４】
前記伴侶動物ケア装置は、前記給水筒に配置され、前記給水筒に充填された水の水位を感知する第１センサー部と、前記給食筒に配置され、前記給食筒に充填された飼料の高さを感知する第２センサー部とをさらに含んでもよい。
【００２５】
また、前記本体は、前記本体ケースの上部に配置される蓋をさらに含んでもよい。
【００２６】
前記蓋は、前記給食空間部を開閉するための給食空間部蓋と、前記給水空間部を開閉するための給水空間部蓋と、前記給食空間部蓋と前記給水空間部蓋とをヒンジ結合させるためのヒンジ結合部と、前記給水空間部蓋の開放を制限するストッパー部材とを含んでもよい。
【００２７】
前記ヒンジ結合部は、前記給食空間部蓋の一側に形成される第１ヒンジ結合部と、前記給水空間部蓋の一側に形成され、前記第１ヒンジ結合部とヒンジ結合される第２ヒンジ結合部とを含んでもよい。
【００２８】
前記ストッパー部材は、前記給食空間部蓋を貫通しながら回転可能に設置されるストッパー本体と、前記ストッパー本体の下部領域から前記ストッパー本体の外側半径方向に向かって突出形成されるストッパー突起とを含んでもよい。
【００２９】
前記ストッパー本体の回転によって前記ストッパー突起が前記第２ヒンジ結合部の下部に配置される場合、前記ストッパー突起と前記第２ヒンジ結合部との物理的接触による干渉によって前記給水空間部蓋が開放されないことが好ましい。
【００３０】
前記本体は、前記本体ケースの下端部と結合されるベースプレートと、前記ベースプレートで上部方向に離隔して配置される設置プレートと、前記ベースプレートと前記設置プレートとを連結する支持レッグとをさらに含んでもよい。
【００３１】
前記設置プレート上には、前記給食供給ユニット及び前記給水供給ユニットが配置され、前記給食供給ユニットは、前記ベースプレートを基準にして前記給食筒より上部に配置され、前記給水供給ユニットは、前記ベースプレートを基準にして前記給水筒より上部に配置されてもよい。
【発明の効果】
【００３２】
本発明に係る伴侶動物スマートケアシステムは、ユーザーが伴侶動物から空間的に離れた遠距離にいる場合にも、伴侶動物ケア装置を通じて伴侶動物の状態をモニタリングし、伴侶動物の心理的な安定感を誘導することによって、伴侶動物の精神的な健康を図ることができる。
【００３３】
また、本発明に係る伴侶動物スマートケアシステムは、スマートフォンと伴侶動物ケア装置の相互間の無線通信を介して給食及び給水の動作を制御することができ、ユーザーが建物の内部に不在時であっても、遠距離で給食及び給水動作を制御し、伴侶動物に給食及び給水を供給することができる。
【００３４】
本発明の効果は、前記効果に限定されるものではなく、本発明の詳細な説明又は特許請求の範囲に記載の発明の構成から推論可能な全ての効果を含むものと理解しなければならない。
【図面の簡単な説明】
【００３５】
【図１】本発明の一実施形態に係る伴侶動物スマートケアシステムの構成を概略的に示した構成図である。
【図２】本発明の一実施形態に係る伴侶動物ケア装置の構造を示した図である。
【図３】本発明の一実施形態に係る伴侶動物ケア装置の主要構成を分解して示した図である。
【図４】本発明の一実施形態に係る伴侶動物ケア装置の蓋の下部構造を示した図である。
【図５】本発明の一実施形態に係る伴侶動物ケア装置の給水供給ユニットを説明するための図である。
【図６】本発明の一実施形態に係る伴侶動物ケア装置の給食供給ユニットを説明するための図である。
【図７】本発明の一実施形態に係るスマートフォンのケアアプリケーションのディスプレイ状態を示した図である。
【図８】本発明の一実施形態に係るケアアプリケーションの細部メニューを示した図である。
【発明を実施するための形態】
【００３６】
以下では、添付の図面を参照して本発明を説明する。しかし、本発明は、様々な異なる形態に具現可能であり、よって、ここで説明する実施形態に限定されるものではない。
【００３７】
明細書全体にわたって、一つの部分が他の部分と「連結」されているとしたとき、これは、「直接連結」されている場合のみならず、その中間に他の部材を挟んで「間接的に連結」されている場合も含む。また、一つの部分が一つの構成要素を「含む」としたとき、これは、特に反対の記載がない限り、他の構成要素を除外するのではなく、他の構成要素をさらに備えることができることを意味する。
【００３８】
図１乃至図８を参照すると、本発明の一実施形態に係る伴侶動物スマートケアシステムは、伴侶動物ケア装置１０００、スマートフォン２０００及び管理サーバー３０００を含んでもよい。
【００３９】
前記伴侶動物ケア装置１０００は、建物の内部に配置され、伴侶動物に給食及び給水を提供すると同時に、前記伴侶動物と関連した状態情報を無線通信を介して外部機器に送信することができる。
【００４０】
このとき、前記伴侶動物ケア装置１０００は、無線通信を介して後述する外部機器である管理サーバー３０００及びスマートフォン２０００に連結されてもよい。
【００４１】
前記伴侶動物ケア装置１０００は、前記スマートフォン２０００に入力される信号に基づいて駆動し得る。
【００４２】
さらに具体的に、前記伴侶動物ケア装置１０００は、前記伴侶動物が居住する室内に設置されてもよい。
【００４３】
前記伴侶動物は、犬、猫などになってもよいが、これに限定されるものではなく、それ以外の多様な動物を含んでもよい。
【００４４】
前記伴侶動物ケア装置１０００は、ユーザーが外部にいるときにも、前記伴侶動物とユーザーとを情緒的に連結させる媒介としての役割をするようになる。
【００４５】
一例として、前記伴侶動物ケア装置１０００は、スマートフォン２０００に映像データを送信したり、スマートフォン２０００から映像データを受信することによって前記伴侶動物とユーザーとの間の映像通話を可能にし得る。
【００４６】
また、前記伴侶動物ケア装置１０００は、前記伴侶動物に給食又は給水を供給することができ、前記伴侶動物の音データを前記スマートフォン２０００に送出することができる。
【００４７】
図２乃至図５に示したように、前記伴侶動物ケア装置１０００は、ＩＰカメラ１１００、スピーカー１２００、マイク１３００、本体１４００及びメインボード１５００を含んでもよい。
【００４８】
前記本体１４００には、前記ＩＰカメラ１１００、前記マイク１３００及び前記スピーカー１２００が設置されてもよい。
【００４９】
前記ＩＰカメラ１１００は、前記伴侶動物と関連した映像を含む映像情報を獲得することができる。
【００５０】
さらに具体的に、前記ＩＰカメラ１１００は、前記伴侶動物と関連した状態情報を撮影することができる。前記状態情報は、前記伴侶動物の給食又は給水状態に対する情報であってもよく、前記伴侶動物の動き状態に対する情報であってもよい。
【００５１】
もちろん、前記ＩＰカメラ１１００は、室内空間内部の環境及び侵入者に対する映像情報を獲得することができる。
【００５２】
前記ＩＰカメラ１１００によって撮影された映像データは、前記メインボード１５００に備えられる制御部及び通信部を介して管理サーバー３０００又はスマートフォン２０００に伝送されてもよい。
【００５３】
前記スピーカー１２００は、前記スマートフォン２０００から受信されたユーザーの音声を出力することができる。
【００５４】
このとき、前記スピーカー１２００は、ユーザーの音声のみならず、前記スマートフォン２０００から受信された音楽などの音響コンテンツも出力することができる。
【００５５】
前記マイク１３００は、伴侶動物の音を含む音情報を獲得することができる。一例として、前記音情報は、前記伴侶動物の鳴き声などの音に対する状態情報を含んでもよい。
【００５６】
前記マイク１３００によって獲得された音情報は、前記メインボード１５００に備えられる制御部及び通信部を介して管理サーバー３０００又はスマートフォン２０００に伝送されてもよい。
【００５７】
図示してはいないが、前記伴侶動物ケア装置１０００は、ディスプレイ部（図示せず）をさらに含んでもよい。
【００５８】
前記ディスプレイ部は、前記スマートフォン２０００から送出されるユーザーの映像を画面にディスプレイすることができる。伴侶動物は、ディスプレイ部で表示されるユーザーの映像を確認することによって心理的な安定感を得ることができる。
【００５９】
また、前記ディスプレイ部は、前記スマートフォン２０００から送出される映像コンテンツをディスプレイすることができる。
【００６０】
図２乃至図６を参照すると、前記本体１４００は、本体ケース１４１０、給水筒１４２０、給食筒１４３０、給水供給ユニット１４４０、及び給食供給ユニット１４５０をさらに含んでもよい。
【００６１】
前記本体ケース１４１０には空間形成部１４１１が形成されてもよい。
【００６２】
前記空間形成部１４１１は、前記伴侶動物の給食のための飼料が収容される給食空間部１４１２と、前記伴侶動物の給水のための水が収容される給水空間部１４１３と、前記給食空間部１４１２と前記給水空間部１４１３とを区画する区画板１４１４とを含んでもよい。
【００６３】
一方、図３及び図４に示したように、前記本体１４００は、前記本体ケース１４１０の上部に配置される蓋１４８０をさらに含んでもよい。
【００６４】
前記蓋１４８０は、前記給食空間部１４１２を開閉するための給食空間部蓋１４１５と、前記給水空間部１４１３を開閉するための給水空間部蓋１４１６とを含んでもよい。
【００６５】
また、前記蓋１４８０は、前記給食空間部蓋１４１５と前記給水空間部蓋１４１６とをヒンジ結合させるためのヒンジ結合部１４８１を含んでもよい。
【００６６】
前記ヒンジ結合部１４８１は、前記給食空間部蓋１４１５の一側に形成される第１ヒンジ結合部１４１５ａと、前記給水空間部蓋１４１６の一側に形成され、前記第１ヒンジ結合部１４１５ａとヒンジ結合される第２ヒンジ結合部１４１６ａとを含んでもよい。
【００６７】
前記給食空間部蓋１４１５は、前記第１ヒンジ結合部１４１５ａを基準にして一方向に回転し、前記給食空間部１４１２を開放するようになる。
【００６８】
前記給水空間部蓋１４１６は、前記第２ヒンジ結合部１４１６ａを基準にして前記給食空間部１４１２の回転方向と反対方向に回転し、前記給水空間部１４１３を開放するようになる。
【００６９】
また、前記蓋１４８０は、前記給水空間部蓋１４１６の開放を制限するストッパー部材１４１７を含んでもよい。
【００７０】
前記ストッパー部材１４１７は、ストッパー本体１４１７ａ及びストッパー突起１４１７ｂを含んでもよい。
【００７１】
前記ストッパー本体１４１７ａは、前記給食空間部蓋１４１５に陥没形成された載置溝部１４１５ｂに載置され、前記給食空間部蓋１４１５を貫通しながら回転可能に設置され得る。
【００７２】
前記載置溝部１４１５ｂには、前記ストッパー本体１４１７ａが貫通する貫通ホール１４１５ｃが形成されている。
【００７３】
そして、前記ストッパー突起１４１７ｂは、前記ストッパー本体１４１７ａの下部領域から前記ストッパー本体１４１７ａの外側半径方向に向かって突出形成されてもよい。
【００７４】
具体的に、前記ストッパー突起１４１７ｂは、前記貫通ホール１４１５ｃを貫通した前記ストッパー本体１４１７ａの下部領域に形成されてもよい。
【００７５】
前記ストッパー本体１４１７ａの回転によって前記ストッパー突起１４１７ｂが前記第２ヒンジ結合部１４１６ａの下部に配置される場合、前記ストッパー突起１４１７ｂと前記第２ヒンジ結合部１４１６ａとの物理的接触による干渉によって前記給水空間部蓋１４１６が開放されなくなる。
【００７６】
ここで、前記第２ヒンジ結合部１４１６ａの断面は、回転中心を基準にして非対称に形成されてもよい。
【００７７】
結果的に、前記伴侶動物が前記伴侶動物ケア装置１０００を倒したときにも、前記ストッパー部材１４１７によって前記給水空間部蓋１４１６の開放が防止されるので、前記給食空間部１４１２に収容された水が外部に排出されることを防ぐことができる。
【００７８】
もちろん、前記ストッパー突起１４１７ｂが前記第２ヒンジ結合部１４１６ａの下部を逸脱する位置に配置されると、前記給水空間部蓋１４１６は自由に開放される。
【００７９】
一方、前記本体１４００は、前記本体ケース１４１０の下端部と結合されるベースプレート１４１８と、前記ベースプレート１４１８で上部方向に離隔して配置される設置プレート１４１９と、前記ベースプレート１４１８と前記設置プレート１４１９とを連結する支持レッグ１４９０とをさらに含んでもよい。
【００８０】
前記設置プレート１４１９上には、前記給食供給ユニット１４５０及び前記給水供給ユニット１４４０が配置され、前記給食供給ユニット１４５０は、前記ベースプレート１４１８を基準にして前記給食筒１４３０より上部に配置され、前記給水供給ユニット１４４０は、前記ベースプレート１４１８を基準にして前記給水筒１４２０より上部に配置されてもよい。
【００８１】
前記給食供給ユニット１４５０が前記給食筒１４３０より上部に配置されることによって、前記給食空間部１４１２に収容された飼料が前記給食筒１４３０に容易に移動できるようになる。同様に、前記給水供給ユニット１４４０が前記給水筒１４２０より上部に配置されることによって、前記給水空間部１４１３に収容された水が前記給水筒１４２０に容易に移動できるようになる。
【００８２】
前記給水筒１４２０は、前記本体ケース１４１０の一側に配置され、前記本体ケース１４１０と一体に形成されてもよい。
【００８３】
このとき、前記給水筒１４２０の内部には、前記給水空間部１４１３から排出される水が充填されるようになる。
【００８４】
前記給食筒１４３０は、前記本体ケース１４１０の一側に配置され、前記本体ケース１４１０と一体に形成されてもよい。
【００８５】
このとき、前記給食筒１４３０の内部には、前記給食空間部１４１２から排出される飼料が充填されるようになる。
【００８６】
すなわち、本発明の一実施形態によると、前記本体ケース１４１０と前記給食筒１４３０及び前記給水筒１４２０とが一体に形成されたことによって、装置をコンパクトに製作することができる。また、装置を製作するための金型の費用を最大限節減できるという利点がある。
【００８７】
前記給水供給ユニット１４４０は、前記空間形成部１４１１の下部に配置され、前記給水空間部１４１３に収容された水を前記給水筒１４２０に供給する。
【００８８】
前記給食供給ユニット１４５０は、前記空間形成部１４１１の下部に配置され、前記給食空間部１４１２に収容された飼料を前記給食筒１４３０に供給する。
【００８９】
図５に示したように、前記給水供給ユニット１４４０は、前記本体ケース１４１０の内部に配置されてもよい。
【００９０】
前記給水供給ユニット１４４０は、前記本体ケース１４１０の内部に配置された給水ポンプ１４４１の動作により、前記給水空間部１４１３に収容された水を前記給水筒１４２０に供給するようになる。
【００９１】
図示してはいないが、前記給水供給ユニット１４４０は、前記給水ポンプ１４４１の一端と前記給水空間部１４１３とを連結する第１給水連結管（図示せず）と、前記給水ポンプの他端と給水ポート１４４２ｂとを連結する第２給水連結管（図示せず）とを含んでもよい。
【００９２】
前記給水供給ユニット１４４０は、前記給水ポンプ１４４１と連結された給水ポート部１４４２をさらに含んでもよい。
【００９３】
前記給水ポート部１４４２は、ポートハウジング１４４２ａ、給水ポート１４４２ｂ、第１ガイド１４４２ｃ、及び飛散防止部材１４４２ｄをさらに含んでもよい。
【００９４】
前記ポートハウジング１４４２ａは、前記設置プレート１４１９の下部側に配置され、前記給水筒１４２０の上側に配置されてもよい。
【００９５】
前記給水ポート１４４２ｂが前記ポートハウジング１４４２ａの内側壁に設置され、前記給水ポンプ１４４１によって供給される水が排出され得る。
【００９６】
前記第１ガイド１４４２ｃは、前記ポートハウジング１４４２ａの下部領域に配置され、前記給水ポート１４４２ｂから排出される水が前記給水筒１４２０に流入するように案内することができる。
【００９７】
前記飛散防止部材１４４２ｄは、前記給水ポート１４４２ｂの少なくとも一部を取り囲みながら配置され、前記給水ポート１４４２ｂを介して排出される水が飛散することを防止することができる。
【００９８】
図６に示したように、前記給食供給ユニット１４５０は、前記本体ケース１４１０の内部に配置され、前記給食空間部１４１２に収容された飼料を前記給食筒１４３０に供給することができる。
【００９９】
前記給食供給ユニット１４５０は、前記ベースプレート１４１８から一定間隔だけ離隔して設置された設置プレート１４１９上に設置されてもよい。
【０１００】
前記給食供給ユニット１４５０は、給食案内部１４５１、給食移動部材１４５２、及び回転駆動部１４５４を含んでもよい。
【０１０１】
前記給食案内部１４５１は、前記給食空間部１４１２と前記給食筒１４３０との間で下向きに傾斜するように配置されてもよい。
【０１０２】
このとき、前記給食案内部１４５１の一側には、前記給食空間部１４１２と連結され、前記給食空間部１４１２から飼料を流入させるための流入口１４５１ａが設けられてもよい。
【０１０３】
また、前記給食案内部１４５１の他側には、前記給食筒１４３０と連結され、前記流入口１４５１ａに流入した飼料を前記給食筒１４３０に排出するための排出口１４５１ｂが設けられてもよい。
【０１０４】
すなわち、前記給食筒１４３０に収容された飼料は、前記流入口１４５１ａに流入し、前記給食案内部１４５１の案内を受けながら前記排出口１４５１ｂに排出された後で前記給食筒１４３０に供給される。
【０１０５】
このとき、前記給食案内部１４５１が傾斜するように形成されることによって、前記給食空間部１４１２から排出された前記飼料は、前記給食案内部１４５１の案内によって前記給食筒１４３０に円滑に移動し得る。
【０１０６】
本発明の一実施形態に係る前記給食案内部１４５１は、前記排出口１４５１ｂの下部側に設けられ、前記排出口１４５１ｂを介して排出される飼料が前記給食筒１４３０に移動するように案内する第２ガイド１４５１ｃをさらに含んでもよい。
【０１０７】
また、前記給食案内部１４５１は、前記排出口１４５１ｂの上部側に設けられ、給食筒１４３０に移動する飼料が外部に跳ねることを防止する跳ね防止部材１４５１ｄをさらに含んでもよい。
【０１０８】
前記給食移動部材１４５２は、前記給食空間部１４１２に収容された飼料を前記給食筒１４３０に移動させることができる。
【０１０９】
前記給食移動部材１４５２は、前記回転駆動部１４５４と結合される回転軸１４５２ｂと、前記回転軸１４５２ｂと結合されて回転しながら前記流入口１４５１ａに流入した飼料を移動させる複数の回転翼１４５２ａとを含んでもよい。
【０１１０】
前記給食供給ユニット１４５０は、前記複数の回転翼１４５２ａを保護するために前記複数の回転翼１４５２ａの枠をそれぞれ覆うように形成された弾性部材１４５３をさらに含んでもよい。
【０１１１】
前記弾性部材１４５３は、前記複数の回転翼１４５２ａと前記流入口１４５１ａの内周面との間に流入した飼料から前記複数の回転翼１４５２ａを保護するようになる。
【０１１２】
具体的に、硬い飼料が前記複数の回転翼１４５２ａの終端部と前記流入口１４５１ａの内周面との間に挟まれる場合、前記弾性部材１４５３が緩衝の役割をすることによって前記回転翼１４５２ａの損傷が防止される。
【０１１３】
前記回転駆動部１４５４は、前記給食移動部材１４５２と連結され、前記給食移動部材１４５２を回転させることができる。
【０１１４】
このような前記回転駆動部１４５４は、第１ギア１４５４ａ、第２ギア１４５４ｂ及び駆動モーター１４５４ｃを含んでもよい。
【０１１５】
前記第１ギア１４５４ａは、前記回転軸１４５２ｂと連結されることによって前記回転軸１４５２ｂを回転させ、前記回転軸１４５２ｂの回転によって前記複数の回転翼１４５２ａが回転するようになる。
【０１１６】
前記第２ギア１４５４ｂは前記第１ギア１４５４ａとギア結合され、前記第２ギア１４５４ｂの回転によって前記第１ギア１４５４ａが回転し得る。
【０１１７】
前記駆動モーター１４５４ｃは前記第２ギア１４５４ｂと軸結合され、前記駆動モーター１４５４ｃの回転力によって前記第２ギア１４５４ｂが回転し得る。
【０１１８】
すなわち、前記駆動モーター１４５４ｃが動作すると、前記第２ギア１４５４ｂが回転し、前記第２ギア１４５４ｂの回転によって前記第１ギア１４５４ａが回転する。
【０１１９】
このとき、前記第１ギア１４５４ａの回転によって前記給食移動部材１４５２が回転することによって、前記複数の回転翼１４５２ａによって前記流入口１４５１ａに流入した飼料が給食案内部１４５１上で移動するようになる。
【０１２０】
本発明の一実施形態に係る伴侶動物ケア装置１０００は、第１センサー部１４６０及び第２センサー部１４７０をさらに含んでもよい。
【０１２１】
前記第１センサー部１４６０は、前記給水筒１４２０に配置され、前記給水筒１４２０に供給されて充填される水の水位を感知する。このとき、前記第１センサー部１４６０としては水位センサーが使用可能である。
【０１２２】
すなわち、前記給水空間部１４１３から前記給水筒１４２０に供給される水が一定高さまで充填される場合、前記制御部は、前記第１センサー部１４６０によって給水の水位を感知し、これ以上充填されないように前記給水ポンプ１４４１の動作を中断する。
【０１２３】
前記第２センサー部１４７０は、前記給食筒１４３０に配置され、前記給食筒１４３０の内部に充填される飼料の高さを感知する。このとき、前記第２センサー部１４７０としては光センサーが使用可能である。
【０１２４】
前記第２センサー部１４７０は、発光部１４７１及び受光部１４７２を含んでもよい。
【０１２５】
すなわち、前記給食空間部１４１２から前記給食筒１４３０に供給される飼料が一定高さまで充填される間、前記発光部１４７１から照射された光が前記受光部１４７２で受光されないと、前記制御部は、前記飼料が一定高さまで充填されたと判断し、前記回転駆動部１４５４の動作を中断する。
【０１２６】
前記メインボード１５００は、前記ＩＰカメラ１１００、前記スピーカー１２００、前記マイク１３００、前記ディスプレイ部、前記給食供給ユニット１４５０、前記給水供給ユニット１４４０及び各センサー部１４６０、１４７０と電気的に連結されてもよい。
【０１２７】
前記メインボード１５００は、制御部及び通信部を含んでもよい。
【０１２８】
前記通信部が前記スマートフォン２０００から送信された制御信号を受信すると、受信された制御信号は前記制御部に伝達される。
【０１２９】
前記制御部は、前記制御信号に基づいて前記伴侶動物ケア装置の各細部構成を制御するようになる。
【０１３０】
例えば、前記制御部は、前記スマートフォン２０００からユーザーの映像情報信号や音声情報信号が送出されると、ユーザーの映像情報や音声情報をディスプレイ部やスピーカー１２００を介して出力できるようにディスプレイ部又はスピーカーを制御する。
【０１３１】
また、前記制御部は、前記スマートフォン２０００から給食及び給水情報に対する信号が送出されると、前記給水供給ユニット１４４０及び給食供給ユニット１４５０が駆動するように制御する。
【０１３２】
このとき、前記制御部は、前記給水筒１４２０に設置された第１センサー部１４６０、及び前記給食筒１４３０に設置された第２センサー部１４７０の信号を感知し、前記給水供給ユニット１４４０及び前記給食供給ユニット１４５０の動作を制御する。
【０１３３】
また、前記制御部は、前記スマートフォン２０００から前記伴侶犬の音信号を受信するための制御信号が送出されると、前記マイク１３００が駆動するように制御する。
【０１３４】
図示してはいないが、前記通信部は、建物内部のワイファイ（ＷＩＦＩ）を介して前記伴侶動物ケア装置１０００及びユーザーのスマートフォン２０００と無線通信を行うことができる。
【０１３５】
このとき、前記通信部は、スマートフォン２０００から伴侶動物ケア装置１０００を制御するための各種制御信号を受信したり、前記制御部で獲得された情報を伝送することができる。
【０１３６】
また、前記通信部は、前記管理サーバー３０００と無線通信を行うことができる。
【０１３７】
前記通信部は、前記制御部で獲得された情報を前記管理サーバー３０００に伝送することができる。
【０１３８】
すなわち、制御部は、伴侶動物と関連した状態情報を獲得し、前記通信部は、獲得された伴侶動物と関連した状態情報を前記管理サーバー３０００に伝送することができる。
【０１３９】
前記スマートフォン２０００は、前記伴侶動物ケア装置１０００と無線で通信しながら前記状態情報に基づいて前記伴侶動物の状態をユーザーが確認できるように表示することができる。
【０１４０】
また、前記スマートフォン２０００は、ユーザーから入力された入力情報に基づいて前記伴侶動物ケア装置１０００を制御することができる。
【０１４１】
本発明の一実施形態では、前記伴侶動物ケア装置１０００を制御するために前記スマートフォン２０００が使用されたことを提示しているが、これに限定せず、タブレットＰＣ、ＰＤＡ（Ｐｅｒｓｏｎａｌ  Ｄｉｇｉｔａｌ  Ａｓｓｉｓｔａｎｔ）、ノートパソコン、デスクトップＰＣ、スマートウォッチなどのウェアラブル機器などの通信装置などが使用されてもよい。
【０１４２】
すなわち、前記スマートフォン２０００は、前記伴侶動物ケア装置１０００と無線で通信しながら前記伴侶動物ケア装置１０００を遠隔で制御することができる。
【０１４３】
一例として、ユーザーが長時間留守状態で一匹の伴侶動物を家に残しておかなければならない場合、ユーザーは、前記スマートフォン２０００を通じて前記伴侶動物ケア装置１０００を遠隔で制御できるようになる。
【０１４４】
これによって、前記伴侶動物は、ユーザーと離れている状態でも情緒的に安定することができる。
【０１４５】
前記スマートフォン２０００は、前記伴侶動物ケア装置１０００を制御するためのケアアプリケーション２１００が内蔵されたマイクロプロセッサを含んでもよい。
【０１４６】
前記ケアアプリケーション２１００は、管理サーバー３０００を介して受信された前記ケア情報、及び前記伴侶動物ケア装置１０００から受信された前記状態情報を前記スマートフォン２０００上に表示するようになる。
【０１４７】
このとき、前記ケア情報は、前記伴侶動物に給食及び給水を提供するための情報を含んでもよく、前記状態情報は、前記伴侶動物の鳴き声及び動き情報を含んでもよい。
【０１４８】
図７及び図８に示したように、前記ケアアプリケーション２１００は、モニタリングメニュー２１１０、給食／給水設定メニュー２１２０、一般アプリケーション設定メニュー２１３０、及びお知らせ受信箱メニュー２１４０を含んでもよい。
【０１４９】
前記モニタリングメニュー２１１０は、前記伴侶動物の映像を確認するためのメニューであって、前記モニタリングメニュー２１１０は、映像通話メニュー２１１１、任意の給食／給水メニュー２１１２、及び映像確認メニュー２１１３を含んでもよい。
【０１５０】
ユーザーは、前記映像通話メニュー２１１１を通じて前記伴侶動物の映像を確認しながら前記伴侶動物と映像通話を行うようになる。
【０１５１】
ここで、前記制御部は、前記スマートフォン２０００から送信された前記映像通話メニューに対する制御信号に基づいてディスプレイ部、スピーカー１２００及びマイク１３００が駆動するように制御し、前記伴侶動物とユーザーとの間で映像通話を行えるようにする。
【０１５２】
ユーザーは、前記伴侶動物の映像を確認しながら、前記任意の給食／給水メニュー２１１２を通じて前記伴侶動物に任意に給食又は給水を提供できるようになる。
【０１５３】
すなわち、伴侶動物に提供される給食又は給水の量及び時期は、予め予約設定されてもよいが、ユーザーが伴侶動物の映像を確認し、任意に伴侶動物に給食又は給水するための制御信号を前記任意の給食／給水メニューを通じて入力することもできる。
【０１５４】
具体的に、ユーザーが任意の給食／給水メニュー２１１２を通じて給食供給ユニット又は給水供給ユニットを制御するための制御信号を入力すると、伴侶動物ケア装置に備えられた制御部は、給食供給ユニット１４５０又は給水供給ユニット１４４０を制御し、前記伴侶動物に給食又は給水を供給できるようにする。
【０１５５】
前記映像確認メニュー２１１３は、前記伴侶動物の映像のみを確認するためのものであって、写真撮影メニュー２１１３ａ及び動画撮影メニュー２１１３ｂを含んでもよい。
【０１５６】
ユーザーは、前記伴侶動物の映像を確認する過程で前記写真撮影メニュー２１１３ａを通じて前記伴侶動物に対する写真を撮影した後で前記スマートフォン２０００に保存することができる。
【０１５７】
また、ユーザーは、前記伴侶動物の映像を確認する過程で前記動画撮影メニュー２１１３ｂを通じて前記伴侶動物に対する動画を撮影した後で前記スマートフォン２０００に保存することができる。
【０１５８】
このとき、前記制御部は、前記スマートフォン２０００から前記通信部に受信された前記写真撮影メニュー２１１３ａ及び前記動画撮影メニュー２１１３ｂの信号に基づいて前記ＩＰカメラ１１００が駆動するように制御し、前記ＩＰカメラ１１００を通じて前記伴侶動物を撮影できるようにする。
【０１５９】
ユーザーは、前記給食／給水設定メニュー２１２０を通じて前記伴侶動物の給食及び給水に対する数量及び時期を予め予約することができる。
【０１６０】
すなわち、前記ケアアプリケーション２１００上でユーザーが前記給食／給水設定メニュー２１２０を選択し、前記伴侶動物に供給される給食及び給水に対する量及び時期に対する情報を入力すると、スマートフォン２０００は、給食及び給水の量及び時期に対する制御信号を前記伴侶動物ケア装置１０００に送信するようになる。
【０１６１】
そうすると、前記伴侶動物ケア装置１０００の制御部は、前記スマートフォン２０００から受信された制御信号に基づいて予約された時間に合わせて前記給食供給ユニット１４５０又は前記給水供給ユニット１４４０の駆動を制御するようになる。
【０１６２】
例えば、ユーザーは、給食／給水メニュー２１１２を通じて伴侶動物に一日に供給される給食及び給水の量、及び一日に供給される給食及び給水の回数を設定することができる。また、一日に供給される給食及び給水の量は、時間別に区分して供給できるように設定することもできる。
【０１６３】
一方、ユーザーは、前記一般アプリケーション設定メニュー２１３０を通じて前記ケアアプリケーション２１００の状態を設定するようになる。
【０１６４】
具体的に、ユーザーは、前記ケアアプリケーション２１００上で一般アプリケーション設定メニュー２１３０を選択し、前記伴侶動物ケア装置１０００と前記スマートフォン２０００との間で同期化及びアカウント登録を行うことができる。
【０１６５】
また、ユーザーは、一般アプリケーション設定メニュー２１３０を通じて前記伴侶動物に対する名前、体重、年齢などの個人情報を設定することができる。
【０１６６】
一方、ユーザーは、前記一般アプリケーション設定メニュー２１３０を通じてお知らせ設定を行うことができる。例えば、ユーザーは、前記一般アプリケーション設定メニュー２１３０を通じて前記伴侶動物の鳴き声が一定時間にわたって持続されると、前記スマートフォン上でお知らせメッセージが表示できるように設定することができる。
【０１６７】
また、ユーザーは、前記一般アプリケーション設定メニュー２１３０を通じて伴侶動物の予約された食事時間の到来を知らせるためのお知らせ信号を保存することができる。
【０１６８】
一方、ユーザーは、前記お知らせ受信箱メニュー２１４０を通じて前記ケア情報又は前記状態情報を確認することができる。
【０１６９】
例えば、ユーザーは、前記お知らせ受信箱メニュー２１４０を通じて前記伴侶動物の鳴き声、外部侵入者の動きを含む状態情報を確認することができる。また、ユーザーは、前記お知らせ受信箱メニュー２１４０を通じて前記伴侶動物の給食及び給水のための前記ケア情報を確認することができる。
【０１７０】
一方、前記伴侶動物ケア装置１０００から受信された前記状態情報は、前記伴侶動物の鳴き声の間隔、前記伴侶動物の鳴き声の回数、及び前記伴侶動物の動き回数を含んでもよい。
【０１７１】
前記管理サーバー３０００から受信された前記ケア情報は、状態情報に基づいて前記伴侶動物の安全な程度を数値化する安全指数２１７０を含んでもよい。このとき、前記安全指数２１７０は前記ケアアプリケーション２１００上に表示されてもよい。
【０１７２】
このとき、ユーザーが前記ケアアプリケーション２１００を駆動するとき、前記ケアアプリケーション２１００上に前記安全指数２１７０が表示されることによって、ユーザーは、前記伴侶動物の安全な程度を直ぐ確認できるようになる。
【０１７３】
前記安全指数は、一日間の伴侶動物の鳴き声の回数、鳴き声の間隔、及び動き回数に基づいて伴侶動物の心理状態を数値化した値であってもよい。
【０１７４】
本発明の一実施形態によると、前記ケアアプリケーション２１００は、飼育日記メニュー２１５０及び給食／給水統計メニュー２１６０をさらに含んでもよい。
【０１７５】
前記飼育日記メニュー２１５０には、前記状態情報に基づいて前記伴侶動物の一日の日課内容が写真及び動画のうち少なくともいずれか一つの形態で保存されて記録されてもよい。
【０１７６】
前記給食／給水統計メニュー２１６０は、前記伴侶動物に対する給食及び給水に対して一定期間の間の統計資料を表示することができる。
【０１７７】
例えば、ユーザーが前記給食／給水統計メニュー２１６０を選択すると、前記伴侶動物が一ヶ月間摂取した給食及び給水の量がグラフ及び表で表示され得る。
【０１７８】
結果的に、前記スマートフォン２０００を通じて駆動する前記ケアアプリケーション２１００は、前記伴侶動物をモニタリングし、伴侶動物の状態を確認することができると同時に、モニタリングされた動画を保存することができ、写真撮影を通じて前記伴侶動物の飼育日記を記録することができる。
【０１７９】
また、前記ケアアプリケーション２１００は、前記伴侶動物とユーザーとの間で映像及び音声通話を行えるようにし、その結果、前記伴侶動物に心理的な安定感を提供することができる。
【０１８０】
また、前記ケアアプリケーション２１００は、前記伴侶動物に任意に給食又は給水を提供することができ、予め設定された予約情報によって給食及び給水を設定して管理することができる。
【０１８１】
前記管理サーバー３０００は、前記伴侶動物ケア装置１０００及び前記スマートフォン２０００と無線で連結され、前記伴侶動物ケア装置１０００から受信された前記状態情報及び予め設定された設定情報に基づいて前記スマートフォン２０００に前記伴侶動物をケアするためのケア情報を送信する。
【０１８２】
このとき、前記管理サーバー３０００は、クラウド（Ｃｌｏｕｄ）基盤のサーバーであってもよいが、これに限定されるのではない。
【０１８３】
すなわち、前記管理サーバー３０００は、前記ＩＰカメラ１１００を登録することができ、前記ＩＰカメラ１１００を介して受信された前記伴侶動物の状態情報と関連したデータを保存すると同時に前記スマートフォン２０００に送信することができる。
【０１８４】
また、前記管理サーバー３０００は、前記ＩＰカメラ１１００を通じて撮影された前記伴侶動物以外の移動体、例えば、外部侵入者の動きと関連した映像データを保存することができ、保存された映像データを前記スマートフォン２０００に送信することができる。
【０１８５】
前記管理サーバー３０００は、グーグル又はアップルのお知らせサーバーと連動することができ、前記伴侶動物の状態情報に対するお知らせをグーグル又はアップルサーバーを介して前記スマートフォン２０００に伝達することができる。
【０１８６】
上述したように、図面を参照して本発明の好適な実施形態を説明したが、該当の技術分野で熟練した当業者であれば、下記の特許請求の範囲に記載の本発明の思想及び領域から逸脱しない範囲内で本発明を多様に修正又は変更可能である。
【産業上の利用可能性】
【０１８７】
本発明に係る伴侶動物スマートケアシステムは、スマートフォンと伴侶動物ケア装置との間の無線通信を介して給食及び給水の動作を制御することができ、ユーザーが建物の内部に不在時であっても、遠距離で給食及び給水動作を制御し、伴侶動物に給食及び給水を供給できるので、産業上に広く利用可能である。
【図１】
2021533733.tif 000003
【図２】
2021533733.tif 000004
【図３】
2021533733.tif 000005
【図４】
2021533733.tif 000006
【図５】
2021533733.tif 000007
【図６】
2021533733.tif 000008
【図７】
2021533733.tif 000009
【図８】
2021533733.tif 000010
【国際調査報告】
2021533733.tif 000011
2021533733.tif 000012
2021533733.tif 000013
2021533733.tif 000014